【手続補正書】
【提出日】平成17年9月7日(2005.9.7)
【手続補正１】
【補正対象書類名】明細書
【補正対象項目名】全文
【補正方法】変更
【補正の内容】
【書類名】  明細書
【発明の名称】  衛生洗浄装置
【特許請求の範囲】
【請求項１】  洗浄水の供給を制御する給水制御手段と、洗浄水を電気ヒータにより加熱する瞬間式の熱交換器と、洗浄水を吐出する洗浄ノズルと、前記熱交換器によって加熱される洗浄水の水温を検出する洗浄水温検出手段と、制御手段とを設け、前記制御手段は、前記熱交換器への通水を行うと共に一旦前記電気ヒータへの通電を行う予備加熱動作を行った後、前記電気ヒータにパルス通電を行うことで、洗浄水の温度を略一定に保温する衛生洗浄装置。
【請求項２】  該装置への人体の接近もしくは該装置の使用を検知する人体検知手段を有し、前記人体検知手段からの信号に連動して予備加熱動作とパルス通電を行う請求項１に記載の衛生洗浄装置。
【請求項３】  制御手段は、電気ヒータにパルス通電を行う間は給水制御手段による洗浄水の供給を行わない請求項１または請求項２に記載の衛生洗浄装置。
【請求項４】  制御手段は、パルス通電の設定を変更可能とした請求項１から３のいずれか１項記載の衛生洗浄装置。
【請求項５】  洗浄水温検出手段は、熱交換器によって加熱される洗浄水の水温を推定する洗浄水温推定手段であり、制御手段は、前記洗浄水温推定手段が推定した値に基づいてパルス通電の設定を変更可能とした請求項４に記載の衛生洗浄装置。
【請求項６】  洗浄水温推定手段は、電気ヒータの抵抗値を検出するヒータ抵抗値検出手段である請求項５に記載の衛生洗浄装置。
【請求項７】  洗浄水温推定手段は、熱交換器の表面温度または熱交換器近傍の雰囲気温度を検出する熱交換器温度検出手段である請求項５に記載の衛生洗浄装置。
【請求項８】  制御手段は、パルス通電の通電時間を変更する請求項４から７のいずれか１項に記載の衛生洗浄装置。
【請求項９】  制御手段は、パルス通電の通電間隔を変更する請求項４から７のいずれか１項に記載の衛生洗浄装置。
【請求項１０】  制御手段は、パルス通電の電力量を変更する請求項４から７のいずれか１項に記載の衛生洗浄装置。
【発明の詳細な説明】
【０００１】
【発明の属する技術分野】
この発明は、衛生洗浄便座等、特に使用する時だけ洗浄水を加熱する瞬間式の熱交換器を備えた衛生洗浄装置に関するものである。
【０００２】
【従来の技術】
従来の使用する時だけ洗浄水を加熱する瞬間式の熱交換器は、洗浄開始直後から温水が得られるよう、予備加熱動作の後、熱交換器内部に滞留する洗浄水の水温または熱交換器の周囲環境の温度を検出して、検出された値が所定温度Ｔａ以上のときはヒータへの通電を停止し、Ｔａよりも低い所定温度Ｔｂ以下の時は通電を行うといった制御を繰り返すことで、熱交換器内部に滞留する洗浄水の水温を略一定に保ち、洗浄開始直後から所望温度の洗浄水を使用するものである（例えば、特許文献１参照）。
【０００３】
【特許文献１】
特開２０００−２０４６３７公報
【０００４】
【発明が解決しようとする課題】
上記従来の発明において、熱交換器によって加熱される洗浄水の水温を一定に保つために、熱交換器によって加熱された洗浄水が所定温度以上の時はヒータへの通電を停止する制御を行っているが、瞬間式の熱交換器は昇温速度に優れた１ｋｗ以上の電気ヒータを用いるのが一般的であり、また、更に少しでも昇温速度を速くするため、熱交換器そのものの熱容量も小さく構成されている。そのため、通電時には急激な温度上昇が生じるが、一方では、例えばサーミスタのような一般的な温度検出手段は秒オーダーの応答遅れがあるという性質があり、温度検出手段からの温度信号によって制御していたのでは、オーバーシュートが押えきれず、高温の湯が吐出されてしまうという問題があった。特に、省エネ・節水のために洗浄水の供給を停止した状態で加熱を行う場合、温度上昇がより急激に起こってしまうだけでなく、数秒で熱交換器内部の洗浄水が局部沸騰し始めるので、ヒータの割れなど熱交換器を破壊する恐れがあった。
【０００５】
本発明は、上記課題を解決するもので、瞬間式の衛生洗浄装置において、電気ヒータにパルス状、すなわち短時間の通電を繰り返し行うことで、過度の温度上昇を防いだ状態で洗浄水を保温することを目的としている。
【０００６】
【課題を解決するための手段】
上記従来の課題を解決するために、本発明の衛生洗浄装置は、洗浄水の供給を制御する給水制御手段と、洗浄水を電気ヒータにより加熱する瞬間式の熱交換器と、洗浄水を吐出する洗浄ノズルと、前記熱交換器によって加熱される洗浄水の水温を検出する洗浄水温検出手段と、制御手段とを設け、前記制御手段は、前記熱交換器への通水を行うと共に一旦前記電気ヒータへの通電を行う予備加熱動作を行った後、前記電気ヒータにパルス通電を行うことで、熱交換器内の洗浄水を保温するものである。
【０００７】
そして、予め設定されたパルス状の通電を行うことで、温度検出手段の応答遅れに関係なく、過昇温が防止でき、また、洗浄水の局部沸騰によるヒータ割れなどの熱交換器の破壊を防ぐことができる。また、温度検出手段によって検出された値に応じてパルス状の通電設定を変更することで、様々な条件下においても洗浄水温の温度変動を少なくし、ほぼ一定の水温で保温することができる。
【０００８】
【発明の実施の形態】
請求項１記載の衛生洗浄装置は、洗浄水の供給を制御する給水制御手段と、洗浄水を電気ヒータにより加熱する瞬間式の熱交換器と、洗浄水を吐出する洗浄ノズルと、前記熱交換器によって加熱される洗浄水の水温を検出する洗浄水温検出手段と、制御手段とを設け、前記制御手段は、前記熱交換器への通水を行うと共に一旦前記電気ヒータへの通電を行
う予備加熱動作を行った後、前記電気ヒータにパルス通電を行うことで、洗浄水の温度を略一定に保温するものである。
【０００９】
請求項１記載の衛生洗浄装置によれば、制御手段は、パルス状すなわち短時間の通電を繰り返し行うことにより、過度の温度上昇を起こさずに洗浄水の保温を行うことができるので、過度のオーバーシュートを防止でき、安全性が向上するとともに、熱交換器内の局部沸騰による熱交換器の破壊を防ぐことができる。
【００１０】
請求項２記載の衛生洗浄装置は、該装置への人体の接近もしくは該装置の使用を検知する人体検知手段を有し、前記人体検知手段からの信号に連動して予備加熱動作とパルス通電を行うものである。
【００１１】
請求項２記載の衛生洗浄装置によれば、請求項１と同様な効果のほか、人体を検知した時のみ予備加熱およびパルス通電による洗浄水の保温を行うことにより、省エネを図ることができる。
【００１２】
請求項３記載の衛生洗浄装置は、制御手段は、電気ヒータにパルス通電を行う間は給水制御手段による洗浄水の供給を行わないものである。
【００１３】
請求項３記載の衛生洗浄装置によれば、請求項１または請求項２と同様な効果のほか、予備加熱やパルス通電により加熱された洗浄水を捨てることがなく、また、電気ヒータが新たに供給された洗浄水により冷やされることがないため効率的である。
【００１４】
請求項４記載の衛生洗浄装置は、制御手段は、パルス通電の設定を変更可能としたものである。
【００１５】
請求項４記載の衛生洗浄装置によれば、請求項１、請求項２または請求項３と同様な効果のほか、様々な状況に対応して通電設定を変更することができるので、過昇温を防止したり、保温時の温度変動を少なくしたりすることができる。
【００１６】
請求項５記載の衛生洗浄装置は、洗浄水温検出手段は、熱交換器によって加熱される洗浄水の水温を推定する洗浄水温推定手段であり、制御手段は、前記洗浄水温推定手段が推定した値に基づいてパルス通電の設定を変更可能としたものである。
【００１７】
請求項５記載の衛生洗浄装置によれば、請求項４と同様な効果のほか、熱交換器の熱交換効率を上げるために、熱交換器の容量の小型化を図った場合など、熱交換器内部に滞留する洗浄水の水温を直接測定することが困難な場合でも、洗浄水温推定手段により洗浄水の水温を推測することができるので、推測した値に対応して通電設定を変更することにより、過昇温を防止したり、保温時の温度変動を少なくしたりすることができる。
【００１８】
請求項６記載の衛生洗浄装置は、洗浄水温推定手段は、電気ヒータの抵抗値を検出するヒータ抵抗値検出手段としたものである。
【００１９】
請求項６記載の衛生洗浄装置によれば、請求項５と同様な効果のほか、電気ヒータの温度上昇による抵抗値の減少から洗浄水の温度を推定することができるので、サーミスタなどの温度検出装置を必要としない。
【００２０】
請求項７記載の衛生洗浄装置は、洗浄水温推定手段は、熱交換器の表面温度または熱交換器近傍の雰囲気温度を検出する熱交換器温度検出手段としたものである。
【００２１】
請求項７記載の衛生洗浄装置によれば、請求項５と同様な効果のほか、取り付けが容易であるという効果がある。
【００２２】
請求項８記載の衛生洗浄装置は、制御手段は、パルス通電の通電時間を変更するものである。
【００２３】
請求項８記載の衛生洗浄装置によれば、請求項４、請求項５、請求項６、請求項７と同様な効果のほか、通電を行う時間を変更することにより、様々な条件下において洗浄水の水温をほぼ一定に保つことができる。
【００２４】
請求項９記載の衛生洗浄装置は、制御手段は、パルス通電の通電間隔を変更するものである。
【００２５】
請求項９記載の衛生洗浄装置によれば、請求項４、請求項５、請求項６、請求項７と同様な効果のほか、通電を行う間隔を変更することにより、様々な条件下において洗浄水の水温をほぼ一定に保つことができる。
【００２６】
請求項１０記載の衛生洗浄装置は、制御手段は、パルス通電の電力量を変更するものである。
【００２７】
請求項１０記載の衛生洗浄装置によれば、請求項４、請求項５、請求項６、請求項７と同様な効果のほか、通電を行う際の電力量を変更することにより、様々な条件下において洗浄水の水温をほぼ一定に保つことができる。
【００２８】
【実施例】
（実施例１）
この発明の第１の実施の形態を図１から図３により説明する。
【００２９】
図１は本発明の実施例を示す人体洗浄装置の概略構成図である。洗浄水を供給する給水路１は給水制御手段としての止水電磁弁２、流量センサー３および洗浄水の水温を検出する入水温度検出手段４を経て、熱交換器５へと接続される。
【００３０】
図２は熱交換器５の一部断面図を表す。熱交換器５は内部に加熱流路６を備えるとともに、加熱手段である電気ヒータ７が加熱流路６に接して設けてある。なお、加熱流路６の電気ヒータ７と接する面は、電気ヒータ７からの熱が効率よく加熱流路６内の洗浄水へ伝達するように熱伝導に優れた材料、本実施例では銅板で形成し、さらには加熱流路６は電気ヒータ７との接触面積を拡大するため、複数の屈曲点を有する波形の形状としてある。これらことにより、洗浄に使用する量を所望温度にして保持する貯湯タンクを必要としないため、装置の小型化を図ることができると共に、湯切れがなく、かつ省エネルギーを図ることができる。なお本実施例においては、電気ヒータ７は熱密度に優れた板状のセラミックヒータを用いたが、シーズヒータ、マイカヒータ、プリントヒータ等、様々な応用が考えられる。
【００３１】
そして、熱交換器５の下流側には洗浄水温検出手段（サーミスタ）８が設けられている。本実施例では、熱交換効率を高めて、人体局部の洗浄時に、瞬時に洗浄水を所望の水温まで加熱するために、加熱流路６を細くしているため、熱交換器５の下流に洗浄水温検出手段８を設ける構成にしたが、熱交換器５内部にサーミスタなどの洗浄水温検出手段を設ける構成にしても良い。洗浄水温検出手段８のさらに下流には流量調節弁９を介して水圧駆動方式のノズルユニット（洗浄ノズル）１０と排水路１１が接続されている。流量調節弁９は、洗浄水の流量を調節するほかに、ノズルユニット１０と、排水路１１への通水を
切りかえる流路切り換え弁としての働きも持つ。なお、排水路１１は、排水路１１への通水によって、ノズルユニット１０を洗い流せる位置に設けられている。なお、流量調節弁９にはモータ１２が固設されており、モータ１２によって回転駆動される構成となっている。
【００３２】
図３はノズルユニット１０の詳細図であり、本実施例では、構造の簡素化と低コスト化を図るために、モータなどの駆動手段を必要としない水圧駆動方式を用いている。ノズルシリンダ１３は、可動ノズル１４の移動方向に段部１５を有し、可動ノズル１４はノズルシリンダ１３内を所定位置に移動して段部１５に密着するシール部１６を有している。また内部流路１７はノズルシリンダ１３内を通してノズルシリンダ１３の端部に形成した給水口１８に連通するように可動ノズル１４の後端１９に開口を形成している。またノズルシリンダ１３内の可動ノズル突出側端部と可動ノズル１４の後端部間で可動ノズル１４に外嵌したコイルばねを用いた弾性部材２０を介在して可動ノズル１４を後退位置である給水口１８に接近する方向に付勢している。
【００３３】
図３の状態で給水口１８よりノズルシリンダ１３内に給水されるとき、内部流路１７より噴出口２１から流出すると同時に、水圧が低いときは可動ノズル１４の外周面とノズルシリンダ１３の内周面との間に形成されたクリアランス２２、２３を通して矢印のように水が流れ出し、可動ノズル１４の周面に沿って先端に流れ、可動ノズル１４は進出しない。そして、給水口１８から送られてくる給水圧が高いときはノズルシリンダ１３内の可動ノズル１４の後端部の水圧が弾性部材２０の弾性よりも大きくなり、水圧で可動ノズル１４を弾性部材２０の弾性に抗して押動して可動ノズル１４をノズルシリンダ１３より押し出し、段部２０にシール部１６が密着する。この結果、シール部１６により給水口１８からクリアランス２２側に流れるのを防止する。そのため、内部流路１７を通して噴出口２１のみから噴出することとなる。このようにして、水圧により後退位置から洗浄位置まで可動ノズル１４が進出されるように構成されている。
【００３４】
そして、洗浄を終了させるために給水手段である止水電磁弁２を閉じることにより、ノズルシリンダ１３内の圧力が低下し、弾性部材２０の弾性によって稼動ノズル２０が洗浄位置から後退位置に収納される。
【００３５】
また、制御手段２４は流量センサー３、洗浄水温検出手段８および使用者の着座を便座（図示せず）への荷重により検出する人体検出手段（図示せず）からそれぞれの信号を読み込み、また、止水電磁弁２、電気ヒータ７、流量調節弁９に固設したモータ１２等を電気的な信号によって制御する。さらに、制御手段２４は入力手段としての洗浄スイッチや停止スイッチおよび流量可変スイッチ等を備えたリモコン（図示せず）と赤外線を利用して信号のやり取りを行っており、使用者からの指示はリモコンに設けた複数の入力スイッチによってなされる。
【００３６】
上記構成において、本実施例の動作を図４を用いて説明する。
【００３７】
まず、使用者が便座（図示せず）に着座すると着座による荷重を人体検出手段（図示せず）が検出し、制御手段２４に信号を送る。制御手段２４では、人体検出手段からの信号に応じて、給水制御手段である止水電磁弁２を開放させ、電気ヒータ７に通電を行う予備加熱動作を行う。この際、流量調節弁９により、ノズルユニット１０への給水量を少なくすることで、ノズルシリンダ１３内の圧力を低水圧のまま流すことができるため、ノズルが進出することがない。そして、洗浄水温検出手段８が所定温度Ｔ０を検出すると、制御手段２４は止水電磁弁２を閉止させ、電気ヒータ７への通電を停止させる。この予備加熱動作により、電気ヒータによって加熱された洗浄水が洗浄ノズルまで流れるため、熱交換器から洗浄ノズルまでの流路に滞留する洗浄水を所定温度に加熱された洗浄水と入れかえ
ることができる。なお、本実施例では、人体検出手段は着座による荷重により本衛生洗浄装置の使用を検知する構成としたが、光センサなどを用いて人体の接近を検知する構成にしても良い。
【００３８】
次に、制御手段２４は電気ヒータ７にパルス状すなわち短時間の通電を繰り返し行い、予備加熱動作によって加熱された洗浄水の保温を行う。なお、予備加熱動作により、洗浄水は所定温度まで加熱されているので、制御手段２４は、パルス通電により洗浄水を保温するだけですむので、制御が単純化される。また、短時間の通電を繰り返し行うことにより、オーバーシュートを防止して洗浄水の保温を行うことができるので、温度検出手段の応答遅れによって人体局部に高温の洗浄水が吐出されることを防止することができるとともに、洗浄水の局部沸騰による熱交換器の破壊を防ぐことができる。
【００３９】
ここで、パルス通電を行う際は、止水電磁弁２を閉止させ、熱交換器５に洗浄水を供給しないことで、予備加熱動作およびパルス通電により加熱された洗浄水を捨てることがなく、また、電気ヒータ７が新たに供給された洗浄水により冷やされることがないため効率的に洗浄水の保温を行うことができる。ただし、本実施例のように洗浄水温検出手段８を熱交換器５の下流に設けた場合は、洗浄水温を検出している時に限っては、少量の洗浄水を熱交換器５に流すことによって洗浄水温の検出をより正確に行う構成にしても良い。
【００４０】
電気ヒータ７への通電時間（ｔon）は、洗浄水温検出手段８で検出された値に応じて変更される。すなわち、電気ヒータ7に通電を行う前に洗浄水の温度を洗
浄水温検出手段8により検出し、予め洗浄水の温度に応じた通電時間を設定して、電気ヒータ7への通電を行うものである。これにより、様々な環境条件に対応
して通電設定を変更することができるため、洗浄水の過昇温を防止したり、保温時の温度変動を少なくしたりすることができる。なお、洗浄水温検出手段８で検出された値に応じて通電間隔（ｔoff）や電力量（Ｑ）を変更する制御にしても
よい。この場合でも洗浄水温検出手段８が検出した値に応じて通電時間（ｔon）を変更した場合と同様の効果を得ることができる。
【００４１】
また、パルス通電を行っている間に洗浄水温検出手段８が所定温度Ｔ２以上を検出した場合、パルス通電を停止させることで、大気への放熱によって洗浄水温が低下していくため、高温の洗浄水が人体局部に吐出されることがなく、安全である。そして、パルス通電を停止させた後、洗浄水の水温が所定温度Ｔ２以下になったことを洗浄水温検出手段８が検出すると、再びパルス通電を開始する。これにより、パルス通電を停止した後、長時間洗浄水を使用しなかった場合でも、大気への放熱により冷めてしまった洗浄水が人体局部に吐出されることがない。なお、制御を簡略化するために、パルス通電を停止させた後、所定時間経過後に再びパルス通電を行う構成にしても良い。
【００４２】
以上のようなパルス通電を行うことで、簡単な制御で使用者が洗浄を行う前に、電気ヒータ７と熱交換器５内部に滞留する洗浄水を所定温度に加熱しておくことができるので、洗浄開始直後から電気ヒータ７と熱交換器５内部に供給された洗浄水との熱交換を十分に行うことができ、更に、熱交換器５内に滞留する洗浄水も加熱されているため、洗浄開始直後から所望の温度の洗浄水を十分に使用できる。また、予備加熱動作やパルス通電を、人体検知手段により使用者が着座した時のみ行う構成にすることにより、人体を検出していない間は電気ヒータ７への通電を行わないため、無駄な加熱を行わないことで、省エネルギーを図ることができる。
【００４３】
そして、使用者がリモコン（図示せず）に設けた洗浄スイッチを押すことにより、止水電磁弁２が開放され、給水路１から洗浄水が供給される。供給された洗浄水は流量センサー３を経て、熱交換器５内の加熱流路６へと流入する。このとき、制御手段２４は使用者
からの洗浄開始信号の入力に連動して電気ヒータ７の通電を開始する。そして、電気ヒータ７に通電が開始されると、加熱流路６を流れる洗浄水は電気ヒータ７からの熱を吸収し次第に加熱される。ここで、本実施例では、使用者が洗浄を行う前に制御手段２４が電気ヒータ７にパルス通電を行うことで、電気ヒータ７と加熱流路６内に滞留する洗浄水を所定温度に保温しておく構成にしている。そのため、寒冷地など気温が低い地域で利用しても、洗浄開始直後から所望の温度の洗浄水を十分に使用できる。
【００４４】
そして、加熱流路６を経た洗浄水は、制御手段２４が流量調節弁１５を排水路１１側に所定時間切り替えることで、排水路１１から排水される。排水路１１はノズルユニット１０を洗い流せる位置に設けられているため、洗浄を開始する前にノズルユニット１０を洗い流すことで、使用者は快適に衛生洗浄装置を使用できる。また、通水初期時から電気ヒータ７で所定の温度に加熱された洗浄水が十分な水量で使用できるので、洗浄効果が高い。
【００４５】
そして、制御手段２４が流量調節弁９をノズルユニット１０側に切り替えることで、可動ノズル１４が洗浄位置まで進出し、人体局部への洗浄が開始される。ここで、本実施例の構成では、洗浄初期時から所望の温度の洗浄水が十分な流量で使用することができるので、ノズルの進出をスムーズに行うことができる。さらに、洗浄初期時から所望の温度の洗浄水が噴出口２１から吐出されるため、寒冷地などで使用しても、人体局部に冷たい水が当ることがないので、使用者が不快感を感じることがない。
【００４６】
洗浄中は、熱交換器５によって加熱された洗浄水が、洗浄水温検出手段８へ至ることで洗浄水の水温が検出され、信号は制御手段２４へとフィードバックされる。制御手段２４はフィードバックされた値とリモコンから入力された設定温度を比較演算することで、電気ヒータ７の通電量を可変し、使用者にとって最適温度の洗浄水を供給するわけである。そして、さらに洗浄水は流量調節弁９に至り、ここで、リモコンに設けた流量可変スイッチにて指示された流量に見合うようその流量が絞られる。ここで温度、流量ともに設定どおりとなった洗浄水が人体局部に吐出される。
【００４７】
（実施例２）
本発明の第２の実施の形態を図５を用いて説明する。なお、実施例１の衛生洗浄装置と同一構造のものは同一符号を付与し、説明を省略する。
【００４８】
図５において、実施例１の構成と異なるところは、洗浄水温検出手段として、電気ヒータ７の抵抗値を検出するヒータ抵抗値検出手段２５を制御手段２４内に設け、ヒータ抵抗値検出手段２５が検出した値に応じてパルス通電の設定を変更する点である。すなわち、ヒータ抵抗値検出手段２５は、洗浄水の水温を推定する洗浄水温推定手段であり、洗浄水の水温を推定してパルス通電の設定を変更するものである。
【００４９】
そして、制御手段２４が電気ヒータ７へパルス通電を行い洗浄水の水温が上昇すると、電気ヒータ７の温度も上昇して行く。電気ヒータ７（本実施例では銅板）の温度が上昇すると、電気ヒータ７の抵抗値は減少していく。逆に洗浄水の温度が低下し、電気ヒータ７の温度が低下すると、電気ヒータ７の抵抗値は増加していく。よって、ヒータ抵抗値検出手段２５を用いて電気ヒータ７の抵抗値を検出することにより、洗浄水の水温を推定することができるので、ヒータ抵抗値検出手段が検出した値に応じて、パルス通電の通電時間、通電間隔または電力量の少なくとも１つの設定を変更することにより、様々な環境条件下でも、洗浄水の過昇温を防止したり、保温時の温度変動を少なくしたりすることができる。
【００５０】
本実施例の場合、実施例１と同様な効果のほか、洗浄水温検出手段８（サーミスタ）を
必要としないので、低コスト化、省スペース化を図ることができる。また、熱交換器５の熱交換効率を上げるために、熱交換器５の容量の小型化を図った場合など、熱交換器５内部の洗浄水の水温を測定することが困難な場合でも、ヒータ抵抗値検出手段２５により洗浄水の水温を推測して通電設定を変更することができる。
【００５１】
（実施例３）
本発明の第３の実施の形態を図６を用いて説明する。なお、実施例１の衛生洗浄装置と同一構造のものは同一符号を付与し、説明を省略する。
【００５２】
図６において、実施例１の構成と異なるところは、洗浄水温検出手段として、熱交換器５の周囲の雰囲気温度を検出するサーミスタ（熱交換器温度検出手段２６）を設け、熱交換器温度検出手段２６が検出した値に応じてパルス通電の設定を変更する点である。すなわち、熱交換器温度検出手段２６は、洗浄水の水温を推定する洗浄水温推定手段であり、洗浄水の水温を推定してパルス通電の設定を変更するものである。
【００５３】
そして、制御手段２４が電気ヒータ７へパルス通電を行い洗浄水の水温が上昇すると、熱交換器５の周囲の雰囲気温度も上昇して行く。逆に洗浄水の温度が低下すると、熱交換器５の周囲の雰囲気温度も低下していく。よって、熱交換器温度検出手段２６を用いて熱交換器５周囲の雰囲気温度を検出することにより、洗浄水の水温を推定することができるので、熱交換器温度検出手段２６が検出した値に応じて、パルス通電の通電時間、通電間隔または電力量の少なくとも１つの設定を変更することにより、様々な環境条件下でも、過昇温を防止したり、保温時の温度変動を少なくしたりすることができる。
【００５４】
本実施例の場合、実施例１と同様な効果のほか、熱交換器５の周囲の空いたスペースに熱交換器温度検出手段２６を設けることができるので、省スペース化を図ることができる。また、洗浄水とのシールを必要としないので、部品点数の減少や組立性の向上を図ることができる。そして、熱交換器５の熱交換効率を上げるために、熱交換器５の容量の小型化を図った場合など、熱交換器５内部の洗浄水の水温を測定することが困難な場合でも、熱交換器温度検出手段２６により洗浄水の水温を推測して通電設定を変更することができる。
【００５５】
なお、本実施例では、熱交換器温度検出手段２６は、熱交換器５の周囲の雰囲気温度を検出する構成にしたが、熱交換器５の表面温度を検出する構成にしても良い。この場合でも、熱交換器５の周囲の雰囲気温度を検出した場合と同様な効果を得ることができる。
【００５６】
【発明の効果】
以上のように本発明によれば、瞬間式の熱交換器において、パルス状の通電を行うことにより、過度の温度上昇を起こさずに洗浄水の保温を行うことができるので、温度検出手段の応答遅れによる洗浄水の過昇温を防止することができるとともに、洗浄水の局部沸騰による熱交換器の破壊を防ぐことができる。また、温度検出手段によって検出された値に応じてパルス通電の設定を変更可能としたことで、様々な条件下においても洗浄水温の温度変動を少なくし、ほぼ一定の水温で保温することができる。
【図面の簡単な説明】
【図１】
本発明の実施例１における衛生洗浄装置の概略構成図
【図２】
同洗浄装置の熱交換器（加熱手段）を表す斜視図
【図３】
同洗浄装置のノズルユニットの概略構成図
【図４】
同洗浄装置の制御を示す図
【図５】
本発明の実施例２における衛生洗浄装置の概略構成図
【図６】
本発明の実施例３における衛生洗浄装置の概略構成図
【符号の説明】
２  給水制御手段（止水電磁弁）
５  熱交換器
７  電気ヒータ
８  洗浄水温検出手段
１０  洗浄ノズル（ノズルユニット）
２４  制御手段
２５  ヒータ抵抗値検出手段（洗浄水温推定手段）
２６  熱交換器温度検出手段（洗浄水温推定手段）